(57)【要約】      （修正有）【課題】特別なアプリケーションを使用することなく、ネットワーク通信を使用して双方向の会話を実現するネットワーク通信電話システムを提供する。【解決手段】電話の受け手及びかけ手側に配されるクライアント端末２に少なくともマイクロフォン４とスピーカ６と、サーバー端末１に対してデータ送信するとともに、サーバ端末１からの送信データを受信し、音声をスピーカ６から吹鳴させるウェブブラウザとを設け、クライアント端末２からの少なくとも音声ファイルを含むデータを受信し、受信したデータを含めた送信データをクライアント端末２に対して送信するウェブサーバを備えたサーバ端末１を設け、ウェブサーバを、ウェブサーバが公開するルートディレクトリにウェブブラウザがアクセスすると、通話相手を指定する呼出し画面をウェブブラウザ側に表示するように構成した。【選択図】図１
2005210393.tif 000002
【特許請求の範囲】
【請求項１】
１つ以上のサーバ端末（１）と、電話の受け手及びかけ手側に配されるクライアント端末（２）と、上記サーバ端末（１）及びクライアント端末（２）との間の通信回線網（８）とからなり、クライアント端末（２）が、少なくともマイクロフォン（４）とスピーカ（６）とを備え、サーバ端末（１）が、クライアント端末（２）からの少なくとも音声ファイルを含むデータを受信し、受信したデータを含めた送信データをクライアント端末（２）に対して送信するウェブサーバ（９）を備え、クライアント端末（２）が、サーバー端末（１）に対して上記データを送信するとともに、サーバ端末（１）からの送信データを受信し、音声をスピーカ（６）から吹鳴させるウェブブラウザ（１２）とを備え、ウェブサーバ（９）を、ウェブサーバ（９）が公開するルートディレクトリにウェブブラウザ（１２）がアクセスすると、通話相手を指定する呼出し画面（１３）をウェブブラウザ（１２）側に表示するように構成し、且つ通話相手側のクライアント端末（２）による通話受諾の操作に基づき、かけ手側のクライアント端末（２）と受け手側のクライアント端末（２）のウェブブラウザ（１２）に同一の送信データを送信する構成としたネットワーク通信電話システム。
【請求項２】
少なくともかけ手側のクライアント端末（２）にムービカメラ（３）を取り付けて設け、ウェブブラウザ（１２）を、ムービカメラ（３）からの画像ファイルを含むデータをウェブサーバ（９）に送信し、且つウェブサーバ（９）からの送信データを受信し、画像をディスプレイに表示させる構成とした請求項１のネットワーク通信電話システム。
【請求項３】
通信回線網（８）がインターネットである請求項１又は２のネットワーク通信電話システム。
【発明の詳細な説明】
【技術分野】
【０００１】
本発明は、ネットワーク通信を使用して双方向の会話を実現するネットワーク通信電話システムに関する。
【背景技術】
【０００２】
従来ネットワーク通信を使用して双方向の会話を実現するネットワーク通信電話システムが公知となっている（例えば非特許文献１参照）。
【非特許文献１】“Welcom to Vchat 〜インターネットTV（テレビ）会議システム〜”、［online］、ジャパンメディアシステム株式会社、［ 平成１６年１月２０日検索］、インターネット＜ URL: http://www.vchat.jp/＞
【発明の開示】
【発明が解決しようとする課題】
【０００３】
しかし上記テレビ電話システムは、専用のソフトウェアをパソコンにインストールする必要があり、同じソフトウェアをインストールしたパソコン同士でしかテレビ電話（インターネットテレビ会議）を実現することができない。このため上記ソフトウェの実行が可能なＯＳのみでしかテレビ電話を行うことができず、テレビ電話を行うことができるパソコンのアーキテクチャやＯＳの種類が少ないという欠点があった。
【課題を解決するための手段】
【０００４】
上記課題を解決するための本発明のネットワーク通信電話システムは、１つ以上のサーバ端末１と、電話の受け手及びかけ手側に配されるクライアント端末２と、上記サーバ端末１及びクライアント端末２との間の通信回線網８とからなり、クライアント端末２が、少なくともマイクロフォン４とスピーカ６とを備え、サーバ端末１が、クライアント端末２からの少なくとも音声ファイルを含むデータを受信し、受信したデータを含めた送信データをクライアント端末２に対して送信するウェブサーバ９を備え、クライアント端末２が、サーバー端末１に対して上記データを送信するとともに、サーバ端末１からの送信データを受信し、音声をスピーカ６から吹鳴させるウェブブラウザ１２とを備え、ウェブサーバ９を、ウェブサーバ９が公開するルートディレクトリにウェブブラウザ１２がアクセスすると、通話相手を指定する呼出し画面１３をウェブブラウザ１２側に表示するように構成し、且つ通話相手側のクライアント端末２による通話受諾の操作に基づき、かけ手側のクライアント端末２と受け手側のクライアント端末２のウェブブラウザ１２に同一の送信データを送信する構成としたことを第１の特徴としている。
【０００５】
第２に少なくともかけ手側のクライアント端末２にムービカメラ３を取り付けて設け、ウェブブラウザ１２を、ムービカメラ３からの画像ファイルを含むデータをウェブサーバ９に送信し、且つウェブサーバ９からの送信データを受信し、画像をディスプレイに表示させる構成としたことを特徴としている。
【０００６】
第３に通信回線網８がインターネットであることを特徴としている。
【発明の効果】
【０００７】
以上のように構成される本発明の構造によると、かけ手はウェブブラウザでウェブサーバのルートディレクトリにアクセスすることによって、呼出し画面から受け手を指定し、受け手と通話することができる。このときかけ手はウェブブラウザにアクセス先のアドレスを与える際、受け手のホームディレクトリや、ホームディレクトリ内のファイルまで指定する必要はなく、このため通常のホームページを見るようにウェブブラウザでウェブサーバのアドレスにアクセスするのみで本ネットワーク通信電話システムを容易に利用することができる。
【０００８】
そして本ネットワーク通信電話システムはウェブブラウザによって利用することができるため、コンピュータのＯＳやアーキテクチャを意識することなく、多くのパソコンで本電話システムを使用することができる。
【０００９】
特にクライアント端末にムービカメラを設けることによって、容易に映像を伴った通話、即ちテレビ電話システムとすることができ、上記のように簡単にテレビ電話システムを構成し、利用することが可能となる。なお通信回線網としてインターネットを使用することにより、従量制の料金体系をとる通常の電話に比較して、通信コストを下げることができる。
【発明を実施するための最良の形態】
【００１０】
本ネットワーク通信電話システムは、システムを管理するセンタ施設等に配置されるサーバ端末１と、電話をかける利用者（かけ手）及び電話を受ける利用者（受け手）に配されるクライアント端末２と、クライアント端末２に設けられるムービカメラ３，マイクロフォン４，スピーカ６，ディスプレイ７と、サーバ端末１とクライアント端末２との間の通信回線網８とからなる。上記通信回線網８はインターネットからなる。
【００１１】
図２に示されるように、サーバ端末１には、クライアント端末２から画像，音声，テキストのファイルを含むデータ受信し、受信したデータを含めた送信データをクライアント端末２に対して送信する送受信システム９が備えられている。本実施形態において、上記サーバ端末はコンピュータによって構成され、送受信システムはコンピュータ（サーバ端末１）と該コンピュータにインストールされるウェブサーバプログラムとによって構成されるウェブサーバからなる。
【００１２】
またサーバ端末１には、ウェブサーバ９によって受信したクライアント端末からのデータに基づいて通話用の画面（通話画面）をクライアント端末２側に表示させるための通話画面データを生成し、ウェブサーバ９から送信させる通話システム１１が設けられている。通話システム１１は、コンピュータ（サーバ端末１）と該コンピュータにインストールされる通話システムプログラムとによって構成される。
【００１３】
上記ウェブサーバ９は、予め定められたディレクトリをルートディレクトリとして公開する。ルートディレクトリの下には各受け手のホームディレクトリが設けられている。ルートディレクトリには、受け手を呼び出すための画面（呼出し画面）をウェブブラウザに表示させるプログラム（呼出しプログラム）が備えられている。各ホームディレクトリ内には、受け手のログイン用の画面（ログイン画面）をウェブブラウザに表示させるプログラム（ログインプログラム）が備えられている。上記呼出しプログラム，ログインプログラム，通話システムプログラムは、１つ以上のファイル（プログラムファイル）によって構成されている。
【００１４】
図３に示されるように、クライアント端末２には、サーバー端末１に対して上記データを送信するとともに、サーバ端末１からのデータを受信し、画像及びテキストをディスプレイ７に表示し、音声をスピーカ６から発生させる送受信クライアントシステム１２が備えられている。本実施形態において、上記クライアント端末２はコンピュータによって構成され、送受信クライアントシステム１２は、コンピュータ（クライアント端末２）と該コンピュータにインストールされるウェブブラウザプログラムとによって構成されるウェブブラウザからなる。
【００１５】
上記ウェブブラウザ１２は、ウェブサーバ９から受信する画像データ及びテキストデータを、画像及びテキストとしてディスプレイ７に表示する。音声データはスピーカ６から吹鳴させる。またムービカメラ３からの画像データ及びマイクロフォン４からの音声データをウェブサーバ９に所定のデータ形式でアップロードする。
【００１６】
これにより２つ以上のクライアント端末２でウェブブラウザ１２によってサーバ端末１のウェブサーバ９に後述するようにアクセスすると、かけ手及び受け手側からの音声データと画像データとが所定のデータ形式でウェブサーバ９にアップロードされ、アップロードされたデータが通話システム１１に送られ、通話システム１１がアップロードされたデータから通話画面のファイルを作成し、ウェブサーバ９に送る。クライアント端末２側は、ウェブブラウザ１２によって通話画面がディスプレイ７に表示されるとともに、スピーカ６から音声が出力され、画像を伴う本電話システムが成立する。つまり本実施形態においては本電話システムはテレビ電話システムである。
【００１７】
なおクライアント端末２にムービカメラ３が接続されていない場合は、画像データがウェブサーバ９にアップロードされないに過ぎない。このためムービカメラ３は必ずしも必須のデバイスではなく、ムービカメラ３が接続されていない端末をクライアント端末とすることもできる。ただし画像が表示されない場合は単なる「電話システム」としてのみ機能する。また一方のクライアント端末２にのみにムービカメラ３が接続されている場合は、ムービカメラ３が接続されている側の画像のみが表示されるテレビ電話システムとなる。
【００１８】
上記呼出しプログラムは、ウェブブラウザ１２がウェブブラウザ９が公開するルートディレクトリにアクセスすると実行されるように設定されている。ルートディレクトリへのアクセスとは、上記ウェブサーバ９のホスト名がＦＱＤＮでhhh.xxx.yyy.zzzであったとすると、ウェブブラウザ１２でhttp://hhh.xxx.yyy.zzzにアクセスすることである。
【００１９】
呼出しプログラムは、図４のフローチャートに示されるように、ステップＳ１において、呼出し画面をウェブブラウザ１２を介してクライアント端末２のディスプレイ７に表示させる。図５に示されるように、呼出し画面１３は、かけ手名入力テキストボックス１４，受け手入力テキストボックス１６，実行ボタン１７とを備えている。
【００２０】
そしてステップＳ２において、実行ボタン１７のクリックを待ち、かけ手名入力テキストボックス１４にかけ手名が入力され、受け手入力テキストボックス１６に受け手ＩＤが入力され、実行ボタン１７がクリックされると、ステップＳ３において受け手のログインをチェックする。受け手ＩＤは受け手のホームディレクトリ名である。
【００２１】
そして受け手が後述するようにログインしている場合は、ステップＳ４に進み、呼び出しを操作するコール画面をウェブブラウザ１２を介してクライアント端末２のディスプレイ７に表示させる。受け手がログインしていない場合は、ステップＳ５に進み、受け手がログインしていないことを表示する警告画面をウェブブラウザ１２を介してクライアント端末２のディスプレイ７に表示させ、リターンする。
【００２２】
図６に示されるように、コール画面１８は、呼出しボタン１９を備えている。図７に示されるように、警告画面２１は、受け手がログインしていない旨の記載２２がなされている。そしてステップＳ４でコール画面１８を表示させた後は、ステップＳ６に進み、呼出しボタン１９のクリックを待ち、呼出しボタン１９がクリックされると、ステップＳ７に進み、通話要求のデータをログインプログラム側に送信する。
【００２３】
そしてステップＳ８に進み、受け手の通話受諾を待ち、通話受諾がなされると、ステップＳ９に進み、通話プログラムを実行する。呼出しプログラムは、例えば上記呼出し画面１３，コール画面１８，警告画面２１を表示させるHTMLファイルを呼び出してウェブブラウザ１２に対して送信するように構成される。
【００２４】
なおサーバ端末１側に記録プログラム２３を設け、前述の警告画面２１を表示させる部分で、記録プログラム２３を起動させて留守番電話のようにメッセージを記録させるように構成してもよい。
【００２５】
上記ログインプログラムは、ウェブブラウザ１２がウェブサーバ９の公開する所定の受け手のホームディレクトリにアクセスすると実行されるように設定されている。ホームディレクトリへのアクセスとは、上記ウェブサーバ１２のホスト名がＦＱＤＮでhhh.xxx.yyy.zzzであり、受け手のユーザ名がnnnであったとすると、ウェブブラウザ１２でhttp://hhh.xxx.yyy.zzz/nnnにアクセスすることである。
【００２６】
上記ログインプログラムは、図８のフローチャートに示されるように、ステップＳ１において、ログイン画面をウェブブラウザを介してクライアント端末２のディスプレイ７に表示させる。図９に示されるように、ログイン画面２４は受け手ＩＤ入力テキストボックス２６，パスワード入力テキストボックス２７，実行ボタン２８とを備えている。
【００２７】
そしてステップＳ２において、実行ボタン２８のクリックを待ち、受け手ＩＤ入力テキストボックス２６に受け手ＩＤが入力され、パスワード入力テキストボックス２７にパスワードが入力され、実行ボタン２８がクリックされると、ステップＳ３において受け手の認証をチェックする。認証のチェックは予め受け手ＩＤとパスワードが一対に保存されているデータベース等を使用し、受け手ＩＤとパスワードとの一致をチェックする。
【００２８】
そしてステップＳ３において受け手のログインが認証されると、ステップＳ４において待受け画面をウェブブラウザ１２を介してクライアント端末２のディスプレイ７に表示させ、ステップＳ５において通話要求を待つ。図１０に示されるように、待受け画面２９は、受け手がログイン中であり、待ち受け状態である旨をテキスト３１又は画像によって表示する構成となっている。
【００２９】
そして通話要求を受信すると、ステップＳ５からステップＳ６に進み、通話選択画面を表示させる。通話要求はかけ手が前述のコール画面１８の呼出しボタン１９をクリックすることによって呼出しプログラムから出力される。図１１に示されるように、上記通話選択画面３２は、通話を行うか否かを選択する表示であり、通話相手名３３が表示され、通話ボタン３４が備えられている。通話相手名は前述の呼び出しプログラムから受け取る。
【００３０】
そしてステップＳ７で通話ボタン３４のクリック（実行）を待ち、通話ボタン３４がクリックされると、ステップＳ８に進み、通話プログラムを呼び出す。通話ボタン３４のクリックにより通話受諾のデータを呼出しプログラム側に送信する。これにより呼出しボタン１９をクリックしたクライアント端末２と、上記のようにログインした受け手のクライアント端末２とに通話画面が表示される。ログインプログラムは、例えば上記ログイン画面２４，待受け画面２９，通話選択画面３２を表示させるHTMLファイルを呼び出してウェブブラウザに対して送信するように構成される。
【００３１】
図１２に示されるように、通話画面３６は、画像を表示する画像表示エリア３７と、テキストファイルを表示するテキスト表示エリア３８とを備える。そして通話プログラムは、受け手及びかけ手のクライアント端末２から前述のデータを受信すると、受信したデータを使用して動的にHTMLファイルを作成し、このHTMLファイルをウェブサーバ９から上記クライアント端末２（ウェブブラウザ１２）に送信する。これにより受け手及びかけ手のクライアント端末２には、同一の画像，テキストが表示され、音声が吹鳴される。
【００３２】
本発明の電話システムは以上のように構成されており、予め受け手を登録し、登録した受け手のホームディレクトリを受け手ＩＤで作成しておくことによって、かけ手はウェブブラウザ１２でウェブサーバ９のルートディレクトリにアクセスすることによって、呼出し画面１３から受け手を指定し、受け手とテレビ電話で会話することができる。そしてかけ手側のクライアント端末２にムービカメラ３を設けることによって、双方向のテレビ電話システムとすることができる。
【００３３】
このときかけ手はウェブブラウザ１２にアクセス先のアドレスを与える際、上記のように受け手のホームディレクトリや、ホームディレクトリ内のファイルまで指定する必要はない。このため通常のホームページを見るようにウェブブラウザ１２でウェブサーバ９のアドレスにアクセスするのみで本電話システムを容易に利用することができる。そして通信回線としてインターネットを使用するため、従量制の料金体系をとる電話に比較して、通信コストを下げることができる。
【００３４】
また送受信クライアントシステム１２がウェブブラウザにより構成されているため、クライアント端末２に特別なアプリケーションをインストールする必要が無い。ウェブブラウザは種々のコンピュータのアーキテクチャやＯＳに対応しており、ＯＳやアーキテクチャを意識することなく、多くのパソコンで本電話システムを使用し、テレビ電話を実現することができる。
【図面の簡単な説明】
【００３５】
【図１】ネットワーク通信電話システムのシステム概略図である。
【図２】サーバ端末の概略ブロック図である。
【図３】クライアント端末の概略ブロック図である。
【図４】呼出しプログラムのフローチャート図である。
【図５】ディスプレイに表示される呼出し画面の図である。
【図６】ディスプレイに表示されるコール画面の図である。
【図７】ディスプレイに表示される警告画面の図である。
【図８】ログインプログラムのフローチャート図である。
【図９】ディスプレイに表示されるログイン画面の図である。
【図１０】ディスプレイに表示される待受け画面の図である。
【図１１】ディスプレイに表示される通話選択の図である。
【図１２】ディスプレイに表示される通話画面の図である。
【符号の説明】
【００３６】
１    サーバ端末
２    クライアント端末
３    ムービカメラ
４    マイクロフォン
６    スピーカ
８    通信回線網
９    ウェブサーバ
１２  ウェブブラウザ
【図１】
2005210393.tif 000003
【図２】
2005210393.tif 000004
【図３】
2005210393.tif 000005
【図４】
2005210393.tif 000006
【図５】
2005210393.tif 000007
【図６】
2005210393.tif 000008
【図７】
2005210393.tif 000009
【図８】
2005210393.tif 000010
【図９】
2005210393.tif 000011
【図１０】
2005210393.tif 000012
【図１１】
2005210393.tif 000013
【図１２】
2005210393.tif 000014